(57)【要約】【課題】  最冷点温度を簡単な構造で直線形・丸形の蛍光ランプに近づけることができるランプ装置を提供する。【解決手段】  ランプ装置１は、最冷点部２０を有する細管部４を備えた放電発光管８と、放電発光管８を保持するインナーケース（放電発光管保持手段）６と、一端側でインナーケース６を支持し、他端側で電源に接続される口金２と連結され、放電発光管８を点灯するための点灯回路（図示せず）を収納する点灯回路収納カバー３とを具備し、細管部４における最冷点部２０を点灯回路収納カバー３の外部に露出させたものである。【選択図】  図１
2010244915.tif 000002
【特許請求の範囲】
【請求項１】
最冷点部を有する細管部を備えた放電発光管と、前記放電発光管を保持する放電発光管保持手段と、一端側で前記放電発光管保持手段を支持し、他端側で電源に接続される口金と連結され、前記放電発光管を点灯するための点灯回路を収納する点灯回路収納カバーとを具備するランプ装置であって、前記細管部における最冷点部を前記点灯回路収納カバーの外部に露出させたことを特徴とするランプ装置。
【請求項２】
前記細管部における最冷点部が、前記点灯回路収納カバーの外側に形成された凹部に収容されることを特徴とする請求項１記載のランプ装置。
【請求項３】
前記細管部における最冷点部に連結される放熱材を備えたことを特徴とする請求項１または２記載のランプ装置。
【請求項４】
前記細管部における最冷点部を前記口金に連結する伝熱材を備えたことを特徴とする請求項１〜３のいずれかに記載のランプ装置。
【請求項５】
前記口金側の伝熱材が、前記点灯回路収納カバーと前記口金との間に挟まれていることを特徴とする請求項４記載のランプ装置。
【請求項６】
前記細管部と前記点灯回路との間に輻射熱の影響を軽減するための介在物を備えたことを特徴とする請求項１〜５のいずれかに記載のランプ装置。
【請求項７】
前記点灯回路収納カバーが前記細管部における最冷点部を外部に露出させるための開口部を有し、前記開口部における前記細管部の周囲に、前記点灯回路収納カバー内部への異物混入を防止するための介在物を備えたことを特徴とする請求項１〜６のいずれかに記載のランプ装置。
【請求項８】
前記点灯回路収納カバーの外部に露出する細管部を通気状態で覆う保護カバーを備えたことを特徴とする請求項１〜７のいずれかに記載のランプ装置。
【請求項９】
前記保護カバーが、前記外部に露出する細管部を包むように形成された前記点灯回路収納カバーの外表面の一部であることを特徴とする請求項８記載のランプ装置。
【請求項１０】
前記保護カバーが、前記外部に露出する細管部を覆うメッシュカバーであることを特徴とする請求項８記載のランプ装置。
【発明の詳細な説明】
【技術分野】
【０００１】
本発明はランプ装置に係り、特に口金、放電発光管及びそれを点灯するための点灯回路を備えたランプ装置に関するものである。
【背景技術】
【０００２】
近年、省エネルギー等を目的として、インバータ式点灯回路を内蔵した電球形やコンパクト形の蛍光ランプ等のランプ装置が多く使用されるようになってきた。一般的に、この種の電球形蛍光ランプの点灯時における放電発光管の輻射熱は、直線形・丸形の蛍光ランプの輻射熱よりも高い。そのため、蛍光ランプの発光に不可欠な水銀の供給形態を両ランプで変えているのが現状である。すなわち、低輻射熱の直線形・丸形の蛍光ランプの場合は、純水銀または純水銀にほぼ等しい特性を持つ水銀アマルガムを封入しているため、低温で放電発光管内の水銀蒸気圧が最適になり、始動時から安定点灯時まで一定の十分な光出力が得られる。これに対し、高輻射熱の電球形蛍光ランプの場合は、純水銀よりも高温で放電発光管内の水銀蒸気圧が最適になる水銀アマルガムを封入しているため、安定点灯時には十分な光出力が得られるが、始動時の低温時には十分な光出力が得られない。
【０００３】
高輻射熱である電球形蛍光ランプにおいても始動時から十分な光出力を得るためには、直線形・丸形の蛍光ランプと同様に純水銀または純水銀にほぼ等しい特性を持つ水銀アマルガムを封入するうえ、放電発光管の輻射熱を外部に放出して、放電発光管内の水銀が集まる最冷点温度を直線形・丸形の蛍光ランプに近づける必要がある。
【０００４】
この種のランプ装置は、例えば特許文献１に記載されている。この技術は、点灯中のランプ装置の放電発光管より輻射される熱気をランプ装置の外部に強制的に排出することにより、最冷点温度を下げて始動時と安定点灯時に十分に光出力が得ようとするものである。
【先行技術文献】
【特許文献】
【０００５】
【特許文献１】特開２００７−０８７８６７号公報
【発明の概要】
【発明が解決しようとする課題】
【０００６】
放電発光管内の水銀が集まる最冷点温度を直線形・丸形の蛍光ランプに近づけるために外部から強制的に排熱させると、その構造が複雑であるため、簡単な構造で最冷点温度を下げる必要がある。
【０００７】
従って本発明の目的は、最冷点温度を簡単な構造で直線形・丸形の蛍光ランプに近づけることができるランプ装置を提供することにある。
【課題を解決するための手段】
【０００８】
本発明は、上記目的を達成するために、以下のランプ装置を提供する。
（１）最冷点部を有する細管部を備えた放電発光管と、前記放電発光管を保持する放電発光管保持手段と、一端側で前記放電発光管保持手段を支持し、他端側で電源に接続される口金と連結され、前記放電発光管を点灯するための点灯回路を収納する点灯回路収納カバーとを具備するランプ装置であって、前記細管部における最冷点部を前記点灯回路収納カバーの外部に露出させたことを特徴とするランプ装置。
（２）前記細管部における最冷点部が、前記点灯回路収納カバーの外側に形成された凹部に収容されることを特徴とする上記（１）記載のランプ装置。
（３）前記細管部における最冷点部に連結される放熱材を備えたことを特徴とする上記（１）または（２）記載のランプ装置。
（４）前記細管部における最冷点部を前記口金に連結する伝熱材を備えたことを特徴とする上記（１）〜（３）のいずれかに記載のランプ装置。
（５）前記口金側の伝熱材が、前記点灯回路収納カバーと前記口金との間に挟まれていることを特徴とする上記（４）記載のランプ装置。
（６）前記細管部と前記点灯回路との間に輻射熱の影響を軽減するための介在物を備えたことを特徴とする上記（１）〜（５）のいずれかに記載のランプ装置。
（７）前記点灯回路収納カバーが前記細管部における最冷点部を外部に露出させるための開口部を有し、前記開口部における前記細管部の周囲に、前記点灯回路収納カバー内部への異物混入を防止するための介在物を備えたことを特徴とする上記（１）〜（６）のいずれかに記載のランプ装置。
（８）前記点灯回路収納カバーの外部に露出する細管部を通気状態で覆う保護カバーを備えたことを特徴とする上記（１）〜（７）のいずれかに記載のランプ装置。
（９）前記保護カバーが、前記外部に露出する細管部を包むように形成された前記点灯回路収納カバーの外表面の一部であることを特徴とする上記（８）記載のランプ装置。
（１０）前記保護カバーが、前記外部に露出する細管部を覆うメッシュカバーであることを特徴とする上記（８）記載のランプ装置。
【発明の効果】
【０００９】
本発明によれば、最冷点温度を簡単な構造で直線形・丸形の蛍光ランプに近づけることができ、始動時から安定点灯時まで十分な光出力を得られるランプ装置を得ることができる。
【図面の簡単な説明】
【００１０】
【図１】本発明に係るランプ装置の実施例１を示す図で、（ａ）は斜視図、（ｂ）は（ａ）におけるＡ−Ａ‘断面図である。
【図２】本発明に係るランプ装置の実施例２を示す図１のＡ−Ａ‘対応断面図である。
【図３】本発明に係るランプ装置の実施例３を示す図１のＡ−Ａ‘対応断面図である。
【図４】本発明に係るランプ装置の実施例４を示す図１のＡ−Ａ‘対応断面図である。
【図５】本発明に係るランプ装置の実施例５を示す図１のＡ−Ａ‘対応断面図である。
【図６】本発明に係るランプ装置の実施例６を示す図１のＡ−Ａ‘対応断面図である。
【図７】本発明に係るランプ装置の実施例７を示す図１のＡ−Ａ‘対応断面図である。
【図８】本発明に係るランプ装置の実施例８を示す斜視図である。
【図９】本発明に係るランプ装置の実施例９を示す斜視図である。
【発明を実施するための形態】
【００１１】
以下、本発明に係るランプ装置の実施例を蛍光ランプの場合を例にとって図面にしたがって説明する。図中に記載する参照符号は以下に説明する各実施例において全て共通符号とする。各図において、参照符号１はランプ装置、２はＥ２６口金、３は点灯回路収納カバー、４は放電発光管の最冷点部を有する細管部、５は細管部の貫通孔（点灯回路収納カバーの開口部）、６はインナーケース（放電発光管保持手段）、７はグローブ、８は放電発光管、９は銅製金具（放熱材）、１０は樹脂製伝熱材、１１は点灯回路収納カバー内部のリブ、１２はシリコーン材（断熱材）、１３はメッシュカバー、２０は放電発光管の最冷点部、２１は点灯回路収納カバーの外側に形成された凹部である。
【００１２】
（実施例１）
図１は、本発明に係るランプ装置の実施例１を示す図で、（ａ）は斜視図、（ｂ）は（ａ）におけるＡ−Ａ‘断面図である。本ランプ装置は、図示のように、Ｅ２６口金２と、樹脂製の点灯回路収納カバー３と、例えば１つまたは複数のＵ字状屈曲形バルブからなる放電発光管８と、放電発光管８の最冷点部を有する細管部４と、放電発光管８を点灯させる回路（図示せず）と、放電発光管８と点灯回路（図示せず）を保持する樹脂製のインナーケース６と、放電発光管８を覆うガラスグローブ等のグローブ７とを備えて構成される。放電発光管８は、両端に電極を備え、内部には水銀および希ガスを含む放電媒体が封入されており、また、内面には蛍光体が塗布されている。放電発光管８はグローブ７で覆われている。
【００１３】
これらの構成要素のうち、樹脂製の点灯回路収納カバー３には、図１に示すように、放電発光管８の最冷点部を有する細管部４を点灯回路収納カバー３内部から外部に貫通するための貫通孔５が形成され、細管部４が点灯回路収納カバー３の外部に露出している。
【００１４】
すなわち、本実施例は、最冷点部２０を有する細管部４を備えた放電発光管８と、放電発光管８を保持するインナーケース（放電発光管保持手段）６と、一端側でインナーケース６を支持し、他端側で電源に接続される口金２と連結され、放電発光管８を点灯するための点灯回路（図示せず）を収納する点灯回路収納カバー３とを具備し、細管部４における最冷点部２０を点灯回路収納カバー３の外部に露出させている。細管部４における最冷点部２０は、例えば点灯回路収納カバーの外側に形成された凹部２１に収容されるが、これに限定されない。
【００１５】
本実施例における、細管部４が点灯回路収納カバー３の外部に露出していることによる効果は次のとおりである。すなわち、点灯中に放電発光管８や点灯回路（図示せず）から輻射される熱気が留まるグローブ７と点灯回路収納カバー３に囲まれた空間の外部に、最冷点とを有する細管部４を配置することで細管部４が熱気の影響を受け難くなり、さらに細管部４が外気に触れることにより、放電発光管８の最冷点部を有する細管部４の温度が低下する。点灯回路収納カバー３内空間に最冷点部を有する細管部が配置されていた従来のランプ装置における放電発光管の最冷点温度は１１５℃であった。本発明における放電発光管の最冷点温度は７０℃であるため、従来のランプ装置の最冷点温度より約５０℃の低減効果を得られ、直線形・丸形の蛍光ランプにおける発光管の最冷点温度である４０℃に近づけることができた。これにより、本ランプ装置では、放電発光管８に低輻射熱の直線形・丸形の蛍光ランプの場合と同様な純水銀または純水銀にほぼ等しい特性を持つ水銀アマルガムを封入することができ、点灯安定時及び始動時を含む点灯直後に十分な光出力を得ることができる。本実施例では、純水銀にほぼ等しい特性を持つ水銀アマルガムを封入した。
【００１６】
（実施例２）
図２は、本発明に係るランプ装置の実施例２を示す図１のＡ−Ａ‘対応断面図である。本ランプ装置は、図示のように、実施例１の構成に加えて、細管部４における最冷点部２０に銅製金具（放熱材）９を連結させた構成である。すなわち、本実施例は、細管部における最冷点部に連結される放熱材を備えるものである。
【００１７】
本実施例における、細管部４が点灯回路収納カバー３の外部に露出し、細管部４における最冷点部２０に銅製金具（放熱材）９を連結させることによる効果は次のとおりである。すなわち、点灯中に放電発光管８や点灯回路（図示せず）から輻射される熱気が留まるグローブ７と点灯回路収納カバー３に囲まれた空間の外部に最冷点部を有する細管部４を配置することで、細管部４が熱気の影響を受け難くなり、さらに細管部４に銅製金具９を放熱材として連結させ外気に放熱させることにより、放電発光管８の最冷点部を有する細管部４の温度が低下するため、純水銀または純水銀にほぼ等しい特性を持つ水銀アマルガムを封入することができ、点灯安定時及び始動時を含む点灯直後に十分な光出力を得ることができる。
【００１８】
放熱材は銅製金具９に限定されるものではなく、例えば放熱性に優れたアルミなど銅製以外の金属材やシリコーン材や樹脂でも構わない。
【００１９】
（実施例３）
図３は、本発明に係るランプ装置の実施例３を示す図１のＡ−Ａ‘対応断面図である。本ランプ装置は、図示のように、実施例１の構成に加えて、細管部４における最冷点部に樹脂製伝熱材１０の一端が連結され、他端がＥ２６口金２に連結させた構成である。ここで、口金側の伝熱材１０は、点灯回路収納カバー３と口金２との間に挟まれている。
【００２０】
本実施例における、細管部４が点灯回路収納カバー３外部に露出し、細管部４樹脂製伝熱材１０の一端が直接連結され、他端がＥ２６口金２に直接連結させることによる効果は次のとおりである。すなわち、点灯中に放電発光管８や点灯回路（図示せず）から輻射される熱気が留まるグローブ７と点灯回路収納カバー３に囲まれた空間の外部に最冷点部を有する細管部４を配置することで、細管部４が熱気の影響を受け難くなり、さらに細管部４に樹脂製伝熱材１０として連結させ、Ｅ２６口金２を介して電源口金ソケットに放熱させることと、外気に放熱させることにより、放電発光管８の最冷点部を有する細管部４の温度が低下するため、純水銀または純水銀にほぼ等しい特性を持つ水銀アマルガムを封入することができ、点灯安定時及び始動時を含む点灯直後に十分な光出力を得ることができる。
【００２１】
樹脂製伝熱材１０は点灯回路収納カバー３とＥ２６口金２との間に挟まれることで、樹脂製伝熱材１０とＥ２６口金２は熱的に接続され、かつ簡単に固定できる。
【００２２】
伝熱材は樹脂製に限定されるものではなく、例えば放熱性に優れた金属材や、シリコーン材でも構わない。但し、伝熱材が導電性である場合は、口金との電気的接続による感電防止が施されていることが好ましく、口金と導電性伝熱材との間には絶縁材を介することで間接的に熱的に接続するか、導電性伝熱材の外表面を絶縁物で覆うことが必要である。また、口金はＥ２６に限定されるものではなく、例えばＥ１７口金でも構わない。
【００２３】
（実施例４）
図４は、本発明に係るランプ装置の実施例４を示す図１のＡ−Ａ‘対応断面図である。本ランプ装置は、図示のように、実施例１の構成に加えて、点灯回路収納カバー３内部の細管部４の周辺に放電発光管８や点灯回路（図示せず）の輻射熱を軽減するための介在物としてリブ１１を備えた構成である。すなわち、本実施例では、細管部と点灯回路との間に輻射熱の影響を軽減するための介在物としてリブを備える。
【００２４】
本実施例における、細管部４が点灯回路収納カバー３外部に露出し、細管部４の周辺にリブを備えたことによる効果は次のとおりである。すなわち、点灯中に放電発光管８や点灯回路（図示せず）から輻射される熱気が留まるグローブ７と点灯回路収納カバー３に囲まれた空間内において、点灯回路（図示せず）と細管部４との間にリブ１１を設け、点灯回路（図示せず）の輻射熱を直接細管部４が受けなくなり、グローブ７と点灯回路収納カバー３に囲まれた空間の外部に最冷点となる細管部４を配置することで、細管部４が熱気の影響を受け難くなり、さらに細管部４が外気に触れることにより、放電発光管８の最冷点部を有する細管部４の温度が低下するため、純水銀または純水銀にほぼ等しい特性を持つ水銀アマルガムを封入することができ、点灯安定時及び始動時を含む点灯直後に十分な光出力を得ることができる。
【００２５】
（実施例５〜７）
図５は、本発明に係るランプ装置の実施例５を示す図１のＡ−Ａ‘対応断面図、図６は、本発明に係るランプ装置の実施例６を示す図１のＡ−Ａ‘対応断面図、図７は、本発明に係るランプ装置の実施例７を示す図１のＡ−Ａ‘対応断面図である。本ランプ装置は、図示のように、実施例１の構成に加えて、細管部４周辺部に放電発光管８や点灯回路（図示せず）の輻射熱を軽減し、点灯回路収納カバー３内部への異物混入を防止し、細管部４への外圧破損を軽減するための介在物としてシリコーン材１２を充填させた構成である。すなわち、点灯回路収納カバーは細管部における最冷点部を外部に露出させるための開口部（細管部の貫通孔）を有しており、本実施例では、この開口部（貫通孔５）における細管部の周囲に、例えば点灯回路収納カバー内部への異物混入を防止するための介在物を備える。この介在物は、輻射熱を軽減する機能、または細管部への外圧破損を軽減する機能、またはその両方の機能をもつように構成することもできる。
【００２６】
本実施例における、細管部４が点灯回路収納カバー２外部に露出し、細管部４にシリコーン材１２を充填させることによる効果は次のとおりである。すなわち、点灯中に放電発光管８や点灯回路（図示せず）から輻射される熱気が留まるグローブ７と点灯回路収納カバー３に囲まれた空間の外部に最冷点を有する細管部４を配置することに加え、細管部４周辺部へ充填されたシリコーン材がグローブ７と点灯回路収納カバー３に囲まれた空間と外部を遮断することにより、細管部４が熱気の影響を受け難くなり、放電発光管８の最冷点部を有する細管部４の温度が低下するため、純水銀または純水銀にほぼ等しい特性を持つ水銀アマルガムを封入することができ、点灯安定時及び始動時を含む点灯直後に十分な光出力を得ることができる。
【００２７】
また、細管部４を点灯回路収納カバー３内部から貫通孔５を通して外部に露出させていることにより、貫通孔５と細管４に隙間が生じてしまう。しかしこの隙間は、塵や埃や水分や虫などの異物をランプ装置の外部から内部への進入を許し、ランプ装置の故障や不具合の原因になる恐れがある。シリコーン材１２をこの隙間を埋めるように充填することにより、ランプ装置内への異物の進入を防止することができる。
【００２８】
さらに、細管部４はガラス材で構成されているため、細管部４への外圧や振動により破損しやすい。シリコーン材１２を細管部４と点灯回路収納カバー３の間に充填させることにより、緩衝効果が得られ、細管部４の外圧や振動による破損を軽減することができる。
【００２９】
シリコーン材１２は、細管部４全体を包み覆うように充填しても構わないし（図５）、細管部４の一部に充填しても構わない（図６）。また、細管部４へのシリコーン材１２充填箇所は、点灯回路収納カバー３の外部（図５、図６）でも構わないし内部（図７）でも構わない。
【００３０】
介在物はシリコーン材に限定するものではなく、例えばグラスウールなどの断熱材やセメントでも構わない。
【００３１】
（実施例８）
図８は、本発明に係るランプ装置の実施例８を示す斜視図である。本ランプ装置は、図示のように、実施例１の構成に加えて、細管部４の外圧破損軽減のために放電発光管８の最冷点部を有する細管部４を外部に露出させている点灯回路収納カバー３の外表面の一部が、細管部４を包むように覆う構成である。すなわち、本実施例では、点灯回路収納カバーの外部に露出する細管部を通気状態で覆う保護カバーを、細管部を包むように形成された点灯回路収納カバーの外表面の一部１４で構成したものであるが、これに限定されず、例えば後述のように点灯回路収納カバーとは別のメッシュカバー等を用いることができる。
【００３２】
本実施例における、細管部４が点灯回路収納カバー３外部に露出し、点灯回路収納カバー３の外表面の一部が細管部４を包むように覆うことによる効果は次のとおりである。すなわち、細管部４はガラス材で構成されているため、細管部４は外圧を受けることにより破損しやすい。そのため、口金電源ソケットから本ランプ装置を着脱する際には、細管部４に指が触れ指圧により細管部４が破損する恐れがある。また、指以外の物体接触による破損も考えられる。
【００３３】
このような細管部４の破損を軽減するために、細管４を外部に露出させている点灯回路収納カバー３の外表面の一部が、放電発光管８の最冷点部を有する細管部４を包むように覆う構成にすることで、指が細管部４に直接触れることができない。また、指以外の物体も細管部４に接触する頻度が軽減される。
【００３４】
但し、最冷点部を有する細管部４は外気に触れることで温度を低下させる必要があるので、細管部４への外気の対流による温度低下効果が保たれた点灯回路収納カバー３構成である。
【００３５】
（実施例９）
図９は、本発明に係るランプ装置の実施例９を示す斜視図である。本ランプ装置は、図示のように、実施例１の構成に加えて、細管部４の外圧破損軽減のために点灯回路収納カバー３に保護カバーとしてメッシュカバー１３を備えた構成である。
【００３６】
本実施例における、細管部４が点灯回路収納カバー３の外部に露出し、点灯回路収納カバー３にメッシュカバー１３を備えたことによる効果は次のとおりである。すなわち、細管部４はガラス材で構成されているため、細管部４は外圧を受けることにより破損しやすい。そのため、口金電源ソケットから本ランプ装置を着脱する際には、ランプ細管部４に指が触れ指圧により細管部４が破損する恐れがある。また、指以外の物体接触による破損も考えられる。
【００３７】
このような細管部４の破損を軽減するために、細管４を外部に露出させている点灯回路収納カバー３にメッシュカバー１３を備え、放電発光管８の最冷点部を有する細管部４をメッシュカバー１３で覆う構成にすることで、指が細管部４に直接触れることができない。また、指以外の物体も細管部４に接触する頻度が軽減される。
【００３８】
但し、最冷点を有する細管部４は外気に触れることで温度を低下させる必要があるので、細管部４への外気の対流による温度低下効果を有した点灯回路収納カバー３の構成である。
【００３９】
本発明のランプ装置の放電発光管８はＵ字状屈曲形バルブに限定するものではなく、例えばスパイラル形状でも構わない。
【００４０】
本発明のランプ装置はグローブ７を備えるものに限定するものではなく、例えばグローブレスタイプでも構わない。
【産業上の利用可能性】
【００４１】
本発明はランプ装置に係り、点灯安定時及び始動時を含む点灯直後に十分な光出力を得ることができるランプ装置に関するものであり、産業上の利用可能性がある。
【符号の説明】
【００４２】
１  ランプ装置
２  Ｅ２６口金
３  点灯回路収納カバー
４  最冷点となる細管
５  最冷点となる細管の貫通孔
６  インナーケース（放電発光管保持手段）
７  グローブ
８  放電発光管
９  銅製金具（伝熱材）
１０  樹脂製伝熱材
１１  点灯回路収納カバー内部のリブ
１２  シリコーン材
１３  メッシュカバー
【図１】
2010244915.tif 000003
【図２】
2010244915.tif 000004
【図３】
2010244915.tif 000005
【図４】
2010244915.tif 000006
【図５】
2010244915.tif 000007
【図６】
2010244915.tif 000008
【図７】
2010244915.tif 000009
【図８】
2010244915.tif 000010
【図９】
2010244915.tif 000011